(57)【要約】【課題】コンタクトピンの要求を減らし、コストを削減可能な携帯型マルチメディア再生装置を提供する。【解決手段】第１の映像処理部と、第２の映像処理部と、第３の映像処理部と、マルチプレクサと、デジタル−アナログ変換手段（ｄｉｇｉｔａｌ−ｔｏ−ａｎａｌｏｇ  ｃｏｎｖｅｒｔｅｒ；ＤＡＣ）とを備えた携帯型マルチメディア再生装置であり、第１の映像処理部はデジタル映像信号を生成し、第２の映像処理部は前記デジタル映像信号を処理して、テレビジョンと互換性のある信号を生成し、第３の映像処理部は前記デジタル映像信号を処理して、フラットパネル（ｆｌａｔ  ｐａｎｅｌ）と互換性のある信号を生成し、マルチプレクサは前記テレビジョンと互換性のある信号および前記フラットパネルと互換性のある信号のうちの一つを選択し、デジタル−アナログ変換手段は前記選択された信号を変換した後、アナログ映像信号を出力する。【選択図】図１
2008092544.tif 000002
【特許請求の範囲】
【請求項１】
デジタル映像信号を生成する第１の映像処理部と、
前記デジタル映像信号を処理して、テレビジョンと互換性のある信号を生成する第２の映像処理部と、
前記デジタル映像信号を処理して、フラットパネルと互換性のある信号を生成する第３の映像処理部と、
前記テレビジョンと互換性のある信号および前記フラットパネルと互換性のある信号のうちの一つを選択するマルチプレクサと、
前記選択された信号を変換した後にアナログ映像信号を出力するデジタル−アナログ変換手段（ｄｉｇｉｔａｌ−ｔｏ−ａｎａｌｏｇ  ｃｏｎｖｅｒｔｅｒ；ＤＡＣ）と、を備える携帯型マルチメディア再生装置。
【請求項２】
前記テレビジョンと互換性のある信号がＹＰｂＰｒ信号である請求項１に記載の携帯型マルチメディア再生装置。
【請求項３】
前記テレビジョンと互換性のある信号がＲＧＢ信号である請求項１に記載の携帯型マルチメディア再生装置。
【請求項４】
前記フラットパネルと互換性のある信号がＲＧＢ信号である請求項１に記載の携帯型マルチメディア再生装置。
【請求項５】
前記携帯型マルチメディア再生装置が携帯情報端末（ｐｅｒｓｏｎａｌ  ｄｉｇｉｔａｌ  ａｓｓｉｓｔａｎｔ；ＰＤＡ）である請求項１に記載の携帯型マルチメディア再生装置。
【請求項６】
前記携帯型マルチメディア再生装置がＤＶＤプレーヤである請求項１に記載の携帯型マルチメディア再生装置。
【請求項７】
デジタル映像信号を生成する第１の映像処理部と、
前記デジタル映像信号を処理して、テレビジョンと互換性のある信号およびフラットパネルと互換性のある信号のうちの一つを生成する第２の映像処理部と、
前記生成された信号を変換した後にアナログ映像信号を出力するデジタル−アナログ変換手段と、を備える携帯型マルチメディア再生装置。
【請求項８】
前記テレビジョンと互換性のある信号がＹＰｂＰｒ信号である請求項７に記載の携帯型マルチメディア再生装置。
【請求項９】
前記テレビジョンと互換性のある信号がＲＧＢ信号である請求項７に記載の携帯型マルチメディア再生装置。
【請求項１０】
前記フラットパネルと互換性のある信号がＲＧＢ信号である請求項７に記載の携帯型マルチメディア再生装置。
【請求項１１】
前記携帯型マルチメディア再生装置が携帯情報端末である請求項７に記載の携帯型マルチメディア再生装置。
【請求項１２】
前記携帯型マルチメディア再生装置がＤＶＤプレーヤである請求項７に記載の携帯型マルチメディア再生装置。
【請求項１３】
デジタル映像信号およびフラットパネルと互換性のある信号を生成する第１の映像処理部と、
前記デジタル映像信号を処理して、テレビジョンと互換性のある信号を生成する第２の映像処理部と、
前記テレビジョンと互換性のある信号および前記フラットパネルと互換性のある信号のうちの一つを選択するマルチプレクサと、
前記選択された信号を変換した後にアナログ映像信号を出力するデジタル−アナログ変換手段と、を備える携帯型マルチメディア再生装置。
【請求項１４】
前記テレビジョンと互換性のある信号がＹＰｂＰｒ信号である請求項１３に記載の携帯型マルチメディア再生装置。
【請求項１５】
前記テレビジョンと互換性のある信号がＲＧＢ信号である請求項１３に記載の携帯型マルチメディア再生装置。
【請求項１６】
前記フラットパネルと互換性のある信号がＲＧＢ信号である請求項１３に記載の携帯型マルチメディア再生装置。
【請求項１７】
前記携帯型マルチメディア再生装置が携帯情報端末である請求項１３に記載の携帯型マルチメディア再生装置。
【請求項１８】
前記携帯型マルチメディア再生装置がＤＶＤプレーヤである請求項１３に記載の携帯型マルチメディア再生装置。
【請求項１９】
デジタル映像信号およびフラットパネルと互換性のある信号を生成する第１の映像処理部と、
前記生成された信号が前記デジタル映像信号であるとき、前記生成された信号を処理して、テレビジョンと互換性のある信号を生成する第２の映像処理部と、
前記テレビジョンと互換性のある信号および前記フラットパネルと互換性のある信号のうちの一つを選択するマルチプレクサと、
前記選択された信号を変換した後にアナログ映像信号を出力するデジタル−アナログ変換手段と、を備える携帯型マルチメディア再生装置。
【請求項２０】
前記テレビジョンと互換性のある信号がＹＰｂＰｒ信号である請求項１９に記載の携帯型マルチメディア再生装置。
【請求項２１】
前記テレビジョンと互換性のある信号がＲＧＢ信号である請求項１９に記載の携帯型マルチメディア再生装置。
【請求項２２】
前記フラットパネルと互換性のある信号がＲＧＢ信号である請求項１９に記載の携帯型マルチメディア再生装置。
【請求項２３】
前記携帯型マルチメディア再生装置が携帯情報端末である請求項１９に記載の携帯型マルチメディア再生装置。
【請求項２４】
前記携帯型マルチメディア再生装置がＤＶＤプレーヤである請求項１９に記載の携帯型マルチメディア再生装置。
【発明の詳細な説明】
【技術分野】
【０００１】
本発明は携帯型マルチメディア再生装置に関し、より詳細には、テレビジョンと互換性のある信号およびフラットパネルと互換性のある信号のうちの一つをマルチプレクサにより選択する携帯型マルチメディア再生装置に関する。
【背景技術】
【０００２】
携帯型マルチメディア再生装置は、現在、流行のマルチメディア機器として発展している。現在の市場においては、これら装置はテレビジョンと互換性のある信号の処理に用いられるのみならず、フラットパネルと互換性のある信号の処理にも用いることができる。
【発明の開示】
【発明が解決しようとする課題】
【０００３】
しかしながら、従来の携帯型マルチメディア再生装置は、テレビジョンと互換性のある信号およびフラットパネルと互換性のある信号を同時に伝送することはできず、もし使用者がテレビジョンと互換性のある信号およびフラットパネルと互換性のある信号を同時に伝送したいとなると、このマルチメディア再生装置に二組のコンタクトピンを設けなければならず、こうなっては携帯型マルチメディア再生装置のコストが嵩んでしまう。
【０００４】
これに鑑み、コンタクトピンの要求を減らし、コストを削減可能な携帯型マルチメディア再生装置を提供することは、業界で解決が待たれる課題であった。
【課題を解決するための手段】
【０００５】
本発明の主な目的は、第１の映像処理部と、第２の映像処理部と、第３の映像処理部と、マルチプレクサと、デジタル−アナログ変換手段（ｄｉｇｉｔａｌ−ｔｏ−ａｎａｌｏｇ  ｃｏｎｖｅｒｔｅｒ；ＤＡＣ）とを備えた携帯型マルチメディア再生装置を提供するところにある。この装置においては、前記第１の映像処理部はデジタル映像信号を生成し、前記第２の映像処理部は前記デジタル映像信号を処理して、テレビジョンと互換性のある信号を生成し、かつ前記第３の映像処理部は前記デジタル映像信号を処理して、フラットパネルと互換性のある信号を生成する。また、前記マルチプレクサは前記テレビジョンと互換性のある信号および前記フラットパネルと互換性のある信号のうちの一つを選択し、前記デジタル−アナログ変換手段は前記選択された信号を変換した後、アナログ映像信号を出力する。
【０００６】
本発明の他の目的は、第１の映像処理部と、第２の映像処理部と、デジタル−アナログ変換手段とを備えた携帯型マルチメディア再生装置を提供するところにある。この装置においては、前記第１の映像処理部はデジタル映像信号を生成し、かつ前記第２の映像処理部は前記デジタル映像信号を処理して、テレビジョンと互換性のある信号およびフラットパネルと互換性のある信号のうちの一つを生成し、続いて、前記デジタル−アナログ変換手段は前記生成した信号を変換した後、アナログ映像信号を出力する。
【０００７】
本発明の更に他の目的は、第１の映像処理部と、第２の映像処理部と、マルチプレクサと、デジタル−アナログ変換手段とを備えた携帯型マルチメディア再生装置を提供するところにある。この装置においては、前記第１の映像処理部はデジタル映像信号およびフラットパネルと互換性のある信号を生成し、また前記第２の映像処理部は前記デジタル映像信号を処理して、テレビジョンと互換性のある信号を生成し、その後、前記マルチプレクサは前記テレビジョンと互換性のある信号および前記フラットパネルと互換性のある信号のうちの一つを選択するよう動作し、前記デジタル−アナログ変換手段は前記選択された信号を変換した後、アナログ映像信号を出力することができる。
【０００８】
本発明のまた更に他の目的は、第１の映像処理部と、第２の映像処理部と、マルチプレクサと、デジタル−アナログ変換手段とを備えた携帯型マルチメディア再生装置を提供するところにある。この装置においては、前記第１の映像処理部はデジタル映像信号およびフラットパネルと互換性のある信号のうちの一つを生成するためのものであり、かつ前記生成した信号が前記デジタル映像信号であるとき、前記第２の映像処理部は続いて前記生成した信号を処理して、テレビジョンと互換性のある信号を生成し、次に、前記マルチプレクサは前記テレビジョンと互換性のある信号および前記フラットパネルと互換性のある信号のうちの一つを選択し、前記デジタル−アナログ変換手段は選択された信号を変換した後、アナログ映像信号を出力することができる。
【０００９】
図面および下記する実施形態を参照した後、当業者であれは本発明の目的、発明の技術的手段および実施形態を理解することができるであろう。
【発明の効果】
【００１０】
本発明では、テレビジョンと互換性のある信号およびフラットパネルと互換性のある信号のうちから一つの信号を選択するとともに、続いて前記選択された信号を出力するマルチプレクサを備えている。したがって、テレビジョンと互換性のある信号はフラットパネルと互換性のある信号とで同じコンタクトピンを共用でき、しかも携帯型マルチメディア再生装置のコストを効果的に削減する。
【発明を実施するための最良の形態】
【００１１】
図１に示すように、本発明の第１の実施例は携帯型マルチメディア再生装置１である。携帯型マルチメディア再生装置１は第１の映像処理部１１と、第２の映像処理部１３と、第３の映像処理部１５と、複数のマルチプレクサ１７と、複数のデジタル−アナログ変換手段１９とを備えている。実質的には、第１の映像処理部１１は画素処理部であり、第２の映像処理部１３はテレビジョン符号化手段であり、そして第３の映像処理部１５はフラットパネル処理部である。
【００１２】
より詳細に言えば、第１の映像処理部１１はデジタル映像信号１０を生成するものであり、第２の映像処理部１３は続いて前記デジタル映像信号１０を処理して、テレビジョンと互換性のある信号を生成するものである。テレビジョンと互換性のある信号はＲ信号１２ｒ、Ｇ信号１２ｇおよびＢ信号１２ｂからなるか、またはＰｒ信号１２ｒ、Ｙ信号１２ｇおよびＰｂ信号１２ｂからなり、同時に第３の映像処理部１５はデジタル映像信号１０を処理して、Ｒ信号１４ｒ、Ｇ信号１４ｇおよびＢ信号１４ｂからなるフラットパネルと互換性のある信号を生成する。その後、マルチプレクサ１７はテレビジョンと互換性のある信号およびフラットパネルと互換性のある信号のうちの一つを選択するとともに、選択された信号１６ｒ、１６ｇ、１６ｂを出力する。最後に、デジタル−アナログ変換手段１９は選択された信号１６ｒ、１６ｇ、１６ｂを受信し変換した後、アナログ映像信号１８ｒ、１８ｇ、１８ｂを出力することができる。
【００１３】
図２に示す本発明の第２の実施例は、第１の映像処理部２１と、第２の映像処理部２３と、デジタル−アナログ変換手段２５とを備えた携帯型マルチメディア再生装置２である。この実施例においては、第１の映像処理部２１は実質的に画素処理部であり、また、第２の映像処理部２３はテレビジョン符号化手段２３１と、フラットパネル処理部２３３およびマルチプレクサ２３５を備えている。
【００１４】
第１の映像処理部２１はデジタル映像信号２０を生成するものであり、テレビジョン符号化手段２３１は前記デジタル映像信号２０を受信し処理して、テレビジョンと互換性のある信号２２を生成する。フラットパネル処理部２３３もデジタル映像信号２０を処理して、フラットパネルと互換性のある信号２４を生成することができる。マルチプレクサ２３５はテレビジョンと互換性のある信号２２およびフラットパネルと互換性のある信号２４のうちの一つを選択するとともに、続いて、選択された信号２６を出力する。最後に、デジタル−アナログ変換手段２５は選択された信号２６を受信し変換した後、アナログ映像信号２８を出力することができる。
【００１５】
図３に示す本発明の第３の実施例は、第１の映像処理部３１と、第２の映像処理部３３と、マルチプレクサ３５と、デジタル−アナログ変換手段３７とを備えた携帯型マルチメディア再生装置３である。この実施例においては、第１の映像処理部３１は画素処理部３１１とフラットパネル処理部３１３とを備えており、そして説明すべきは、第２の映像処理部３３はテレビジョン符号化手段とすることができるということである。
【００１６】
画素処理部３１１はデジタル映像信号３０を生成するものであり、フラットパネル処理部３１３はフラットパネルと互換性のある信号３２を生成することができる。まず、第１の映像処理部３１は前記デジタル映像信号３０およびフラットパネルと互換性のある信号３２を出力し、続いて、第２の映像処理部３３は前記デジタル映像信号３０を受信し処理して、テレビジョンと互換性のある信号３４を生成する。続いて、マルチプレクサ３５はこれら信号を受信した後、テレビジョンと互換性のある信号３４およびフラットパネルと互換性のある信号３２のうちの一つを選択するとともに、続いて、選択された信号３６を出力する。最後に、デジタル−アナログ変換手段３７は選択された信号３６を変換した後、アナログ映像信号３８を出力する。
【００１７】
図４に示す本発明の第４の実施例は、第１の映像処理部４１と、第２の映像処理部４３と、第１のマルチプレクサ４５と、デジタル−アナログ変換手段４７とを備えた携帯型マルチメディア再生装置４である。この実施例においては、第１の映像処理部４１は画素処理部４１１と、フラットパネル処理部４１３と、第２のマルチプレクサ４１５とを備えている。説明すべきは、第２の映像処理部４３はテレビジョン符号化手段とすることができ、好ましくは、携帯型マルチメディア再生装置４は携帯情報端末（ｐｅｒｓｏｎａｌ  ｄｉｇｉｔａｌ  ａｓｓｉｓｔａｎｔ；ＰＤＡ）、ＤＶＤプレーヤ、または音声／映像信号を操作可能な機能を持つその他マルチメディア製品とすることができる（ただしこれに限定されない）。
【００１８】
詳細には、画素処理部４１１はデジタル映像信号４０を生成するとともに、フラットパネル処理部４１３はフラットパネルと互換性のある信号４２を生成することができる。続いて、第２のマルチプレクサ４１５はデジタル映像信号４０およびフラットパネルと互換性のある信号４２のうちの一つを選択するように作動するとともに、第１の選択信号４４を出力する。次に、第１の選択信号４４がデジタル映像信号４０である場合には、第２の映像処理部４３は第１の選択信号４４を受信し処理して、テレビジョンと互換性のある信号４６を生成する。同様に、第１のマルチプレクサ４５はテレビジョンと互換性のある信号４６および第１の選択信号４４のうちの一つを選択するように作動するとともに、第２の選択信号４８を出力する。最後に、デジタル−アナログ変換手段４７は第２の選択信号４８を受信し変換した後、アナログ映像信号４９を出力する。
【００１９】
上記実施例において、フラットパネルと互換性のある信号２４、３２、４２がＲＧＢ信号である場合には、テレビジョンと互換性のある信号２２、３４、４６はＹＰｂＰｒ信号またはＲＧＢ信号とすることができることに注意されたい。
【００２０】
上記をまとめると、本発明はテレビジョンと互換性のある信号およびフラットパネルと互換性のある信号を選択して、その後、選択された信号を出力するマルチプレクサを備えている。そのため、テレビジョンと互換性のある信号はフラットパネルと互換性のある信号とで同じコンタクトピンを共用でき、しかも携帯型マルチメディア再生装置のコストを削減できる。
【００２１】
上記した実施例は単に本発明の実施形態を例示し、本発明の技術特徴を説明するためのみに用いられるものであり、本発明の範囲を限定するために用いるものではない。当業者の如何なる者でも容易に完成できる改変または均等性のあるアレンジは本発明が主張する範囲に含まれるものであって、本発明の権利保護範囲は特許請求の範囲が基準とされるべきである。
【図面の簡単な説明】
【００２２】
【図１】本発明の第１の実施例のブロック図である。
【図２】本発明の第２の実施例のブロック図である。
【図３】本発明の第３の実施例のブロック図である。
【図４】本発明の第４の実施例のブロック図である。
【符号の説明】
【００２３】
１      携帯型マルチメディア再生装置
１０    デジタル映像信号
１１    第１の映像処理部
１２ｒ  Ｒ信号またはＰｒ信号
１２ｇ  Ｇ信号またはＹ信号
１２ｂ  Ｂ信号またはＰｂ信号
１３    第２の映像処理部
１４ｒ  Ｒ信号
１４ｇ  Ｇ信号
１４ｂ  Ｂ信号
１５    第３の映像処理部
１６ｒ  選択された信号
１６ｇ  選択された信号
１６ｂ  選択された信号
１７    マルチプレクサ
１８ｒ  アナログ映像信号
１８ｇ  アナログ映像信号
１８ｂ  アナログ映像信号
１９    デジタル−アナログ変換手段
２      携帯型マルチメディア再生装置
２０    デジタル映像信号
２１    第１の映像処理部
２２    テレビジョンと互換性のある信号
２３    第２の映像処理部
２４    フラットパネルと互換性のある信号
２５    デジタル−アナログ変換手段
２６    選択された信号
２８    アナログ映像信号
２３１  テレビジョン符号化手段
２３３  フラットパネル処理部
２３５  マルチプレクサ
３      携帯型マルチメディア再生装置
３０    デジタル映像信号
３１    第１の映像処理部
３２    フラットパネルと互換性のある信号
３３    第２の映像処理部
３４    テレビジョンと互換性のある信号
３５    マルチプレクサ
３６    選択された信号
３７    デジタル−アナログ変換手段
３８    アナログ映像信号
３１１  画素処理部
３１３  フラットパネル処理部
４      携帯型マルチメディア再生装置
４０    デジタル映像信号
４１    第１の映像処理部
４２    フラットパネルと互換性のある信号
４３    第２の映像処理部
４４    第１の選択信号
４５    第１のマルチプレクサ
４６    テレビジョンと互換性のある信号
４７    デジタル−アナログ変換手段
４８    第２の選択信号
４９    アナログ映像信号
４１１  画素処理部
４１３  フラットパネル処理部
４１５  第２のマルチプレクサ
【図１】
2008092544.tif 000003
【図２】
2008092544.tif 000004
【図３】
2008092544.tif 000005
【図４】
2008092544.tif 000006